(57)【要約】【課題】従来のスクリーン装置は、据え置き型のスクリーンを想定しているために手軽に持ち運びができず可搬性の面で劣っていた。また、非稼動時の装置に対してゴミ及び大気中の埃の付着を防止する手段が設けられていない。その上、設置場所に多大なスペースを有してしまった。また、スクリーン正面部に設けた素材自体が高価となり装置全体のコストが上がってしまい可搬性を考慮したものではなかった。【解決手段】本発明は、開閉式のカバー部４が設けられて、非稼動時や可搬時にゴミ、大気中の埃及び水滴等から保護し、且つ他との衝突や落下による破損から装置内に巻回されるスクリーン２を保護し、スピーカ部５ａ，５ｂと一体的に設けられた装置構成により、手軽に運べる可搬性に優れた可搬型防滴スクリーン装置である。【選択図】      図１
2006139116.tif 000002
【特許請求の範囲】
【請求項１】
投影スクリーンを収納部に巻回収納可能な可搬型防滴スクリーン装置であって、
前記収納部は、
前記収納部両端近傍に配置され音声を出力するスピーカ部と、
スクリーン巻回収納用スリット部と、
前記スピーカ部及び前記スリット部を覆うことが可能な可動カバー部と、
を具備し
前記投影スクリーンが前記収納部に巻回収納され、前記可動カバー部を閉じることで防滴機構を成すことを特徴とする可搬型防滴スクリーン装置。
【請求項２】
前記可動カバー部内側外周にＯリングを環装することを特徴とする請求項１に記載の可搬型防滴スクリーン装置。
【請求項３】
投影スクリーンをスクリーン両端に設けられた第１及び第２の収納部に巻回収可能なスクリーン装置であって、
前記第１及び第２の収納部は、前記スクリーン使用時にステレオ音声再生用の前記スピーカ部を内蔵し、前記スピーカ部が外部に露出しない状態で前記スクリーンを収納状態とするようにしたことを特徴とする可搬型防滴スクリーン装置。
【請求項４】
前記投影スクリーンの両端に設けられ、該投影スクリーンを両端側から巻回する第１及び第２の収納部を備えるスクリーン装置であって、前記第１及び第２の収納部は、それぞれにステレオ音声出力するスピーカ部を内蔵し、該スピーカ部が外部に露出しないように前記スクリーンで巻回し収納形態とする可搬型防滴スクリーン装置。
【請求項５】
投影された画像を表示するためのスクリーンと、
前記スクリーンの長手方向の両端に設けられた２本の柱部と、
前記２本の柱部内にそれぞれ設けられ、互いに外部音声信号入力部を有し、入力された音声信号によるステレオ音声出力を行う第１及び第２の音声出力部と、
何れか一方の前記音声出力部に設けられ、一端が連結されたベルト部と、
前記ベルト部の他端が連結され、且つ一側端が前記スクリーンの裏面側に縫着されたテープ部材と、
を具備し、
稼動時には、前記２本の柱部を両端に引き前記スクリーンを展開して投影された画像を表示し、可搬時は、前記スクリーンを前記第１及び第２の音声出力部及び投光面が内側となるように、両側から巻回して前記テープ部材を前記スクリーンに貼着し巻回形態を保持することを特徴とする可搬型防滴スクリーン装置。
【請求項６】
投影スクリーンを収納部に巻回収納可能な可搬型防滴スクリーン装置であって、
前記収納部は、
スクリーン巻回収納用スリット部と、
前記スリット部を覆うことが可能な可動カバー部と、
を具備し
前記投影スクリーンが前記収納部に巻回収納され、前記可動カバー部を閉じることで防滴機構を成すことを特徴とする可搬型防滴スクリーン装置。
【請求項７】
前記投影スクリーンの両端に設けられ、該投影スクリーンを両端側から巻回する第１及び第２の収納部を備えるスクリーン装置であって、前記第１及び第２の収納部は、それぞれに電気回路、電気接点または操作部を内蔵し、該電気回路、該電気接点または該操作部が外部に露出しないように前記スクリーンで巻回し収納形態とする可搬型防滴スクリーン装置。
【発明の詳細な説明】
【技術分野】
【０００１】
本発明は、フロントプロジェクタから投影した画像を受け、映像に音声を伴い観賞できるようにするための可搬型防滴スクリーン装置に関する。
【背景技術】
【０００２】
近年、フロントプロジェクタは、ビジネスから家庭まで映像を楽しめる観賞用機器として普及しており、例えば、ビジネスではプレゼンテーションのために、家庭では映画等の観賞のためにと汎用的に利用されている。このプロジェクタは、汎用性と共に、家庭やビジネスにおいても手軽に使用できるように機器の小型化及び可搬性が要求されている。
【０００３】
さらに、このようなプロジェクタにあわせて、より可搬性の高い投影スクリーンが要求されている。利用時には画像を投影するためにスクリーンを広げ持ち運び、また収納の際は、スクリーンを巻回する形式の可搬スクリーンが普及している。
【０００４】
例えば特許文献１に開示されている映像用スクリーン装置は、図１２に示すように、画像投影を行うスクリーン１０１と、音声出力のためのスピーカボックス１０２、スクリーン１０１及びスピーカ１０２を収納する台兼収納箱１０３、映写用のシート１０７及びアーム１０９により構成されている。  
映像用スクリーン装置は、不使用時には映写用のシート１０７の裏に設けられたアーム１０９を図示しない１個の駆動モータを駆動して起立及び倒伏してスクリーン１０１及びスピーカ１０２を台兼収納箱１０３に収納している。
【０００５】
また、特許文献２に開示されているリアプロジェクタは、図１３に示すように、スクリーン本体１４０内の不透明樹脂層１４３上に音波を通すサウンドホール１４５及び複数配列される光学ビーズ１４２を設けている。
【０００６】
リアプロジェクタはスクリーン１４０上に設けられた光拡散粒子である光学ビーズ１４２の間に音波の通路となるサウンドホール１４５を設けて別途スピーカ部を設けなくても良い構成とすることでスピーカの配置自由度が増し装置全体の小型化を促進している。
【特許文献１】特開平０９−３２９８４４号公報
【特許文献２】特開２００１−１３３８８８公報
【発明の開示】
【発明が解決しようとする課題】
【０００７】
前述した特許文献１に開示された映像用スクリーン装置は、スクリーン１０１上でスピーカ１０２がスクリーン１０１に連動して台兼収納箱１０３から出し入れする構成が複雑である。さらに据え置き型のスクリーンを想定しているために手軽に持ち運びができず可搬性の面で劣っている。また、非稼動時の装置に対してゴミ及び大気中の埃の付着を防止する対策が施されてなく、さらに、台兼収納箱１０３の設置場所に多大なスペースを有している。
【０００８】
また、特許文献２に記載のリアプロジェクタは、光拡散粒子である光学ビーズ１４２をスクリーン１４０の正面部に設けて利用しているが、正面部に設けた光学ビーズ１４２自体が高価となり装置全体のコストが上がってしまう。また、特許文献１に開示された映像用スクリーン装置と同様に手軽に持ち運ぶことができる可搬性を考慮したものではなかった。
【０００９】
そこで本発明は、切り換え可能ステレオ再生及び大音量出力し且つ投影のためのスクリーンと音声を出力するスピーカシステムを収納し可搬性に優れ、移動時における外部からの衝撃や埃及び水滴等から保護する可搬型防滴スクリーン装置を提供することを目的とする。
【課題を解決するための手段】
【００１０】
前述した目的を達成するために本発明は、投影スクリーンを収納部に巻回収納可能な可搬型防滴スクリーン装置であって、前記収納部は、前記収納部両端近傍に配置され音声を出力するスピーカ部と、スクリーン巻回収納用スリット部と、前記スピーカ部及び前記スリット部を覆うことが可能な可動カバー部と、を具備し前記投影スクリーンが前記収納部に巻回収納され、前記可動カバー部を閉じることで防滴機構を成すことを特徴とする可搬型防滴スクリーン装置を提供する。
【発明の効果】
【００１１】
本発明は、投影のためのスクリーンと音声を出力するスピーカシステムを収納し可搬性に優れ、移動時における外部からの衝撃や埃及び水滴等から保護し、且つ切り換え可能ステレオ再生及び大音量出力を実現する可搬型防滴スクリーン装置を提供することができる。
【発明を実施するための最良の形態】
【００１２】
以下、図面を参照して本発明に係る実施形態について詳細に説明する。  
図１、図２及び図３を参照して第１の実施形態について詳細に説明をする。図１（ａ）は、本発明に係る第１の実施形態における可搬型防滴スクリーン装置（以下、スクリーン装置と称する）をフック７を用いて壁に掛けた際の概略的な正面図である。図１（ｂ）は、第１の実施形態におけるスクリーン装置内に巻回されるスクリーンを引き出し、支柱で支えている際の概略的な正面図である。図１（ｃ）は、スクリーンを収納した際の状態の図である。図１（ｄ）は、図１（ａ）における側面図である。図１（ｅ）は、図１（ｂ）における側面図である。
【００１３】
本実施形態に係るスクリーン装置は、スクリーン２を巻回して収納する筒状の収納部１、収納部１を持ち運ぶ際に利用するベルト部３、収納部１をカバーするカバー部４及び音声出力のためのスピーカ部５ａ，５ｂで構成されている。また図１（ｂ）に示すように机や床等の上に設置した際、収納部１からスクリーン２を引き出すためにスクリーン背面に設けた支柱部６で支えている。支柱部６は、図１（ｃ）に示すように中央に関節を設けた２本のアームにより伸縮自在に構成される。
【００１４】
次に図２（ａ）は、カバー部４を開放したスクリーン２を上部に引き出した状態を示す図である。図２（ｂ）は、カバー部４を閉じて持ち運びする状態を示す図である。図２（ｃ）は、カバー部４の収納部に対向する面を示した図である。図３（ａ）は、図２（ａ）の状態の側面断面図である。図３（ｂ）は、スクリーン２を収納部１に収納してカバー部４が閉じた際の状態の側面図である。
【００１５】
本構成において、収納部１は、カバー部４を開けると、左右に配置されるスピーカ部５ａ，５ｂが露呈される。これらのスピーカ部５ａ，５ｂから出力されるステレオ音声のステレオ（Ｌ，Ｒ）チャンネル等を切り換えるための切り換えスイッチ部８、音声入力用コネクタ部１２が露出する。この切り換えスイッチ部８は、使用形態つまり、引き出されたスクリーン２が吊られて下方に垂れ下がる形態か（図１（ａ））、装置本体からスクリーン２が上方に引き出されて支柱部６で支持される形態（図１（ｂ））になるかにより、ステレオ音声のＬ，Ｒチャンネルが入れ替わるため、使用形態にあった音声位置となるように切り換えるものである。また、図２（ｃ）に示すようにカバー部４を閉じることにより、移動時にぶつけて収納部１及びスピーカ部５ａ，５ｂに加わる衝撃を防ぐ。さらに、カバー部４が閉じている状態でスクリーン２のスリット部１５、スイッチ部８及びコネクタ内にゴミ、埃及び水滴が侵入しないように、例えばカバー部４の内面側の全外周にＯリング（ゴム部材）からなるシール部材１３が嵌め込まれ、カバー部４が収納部１に密着するように構成されている。また、収納部１に巻回されて収納されるスクリーン２は、支柱部６を伸長させると共にスピーカ部５ａ及び５ｂ間に設けられたスリット部１５から引っ張り出される。尚、このスクリーン２は、巻回する方向に回転するようにバネ等で付勢されており、収納時にはフック７から外した時等、係止状態を止めれば、自動的に巻き取れられる。また、スクリーンが巻き戻らないように、引き出された状態を維持させるストッパを設けてもよい。
【００１６】
次に図１乃至図５を参照して、第１の実施形態に係るスクリーン装置における使用方法について詳細に説明する。  
図４は、スクリーン２を収納部１に収納しベルト部３を肩にかけて持ち運んでいる状態を示す図である。図５（ａ）及び図５（ｂ）は、実際にスクリーンに画像を投影して使用する状態を示す状態図である。図４に示すように、本実施形態は、図１（ｃ）に示したように収納することができ、スクリーン２とスピーカ部５ａ及び５ｂが同一構成なためにどこへでも手軽に持ち運ぶことができる。
【００１７】
実際に使用する場合には、図５（ａ）に示したように、スクリーン２を引き出し、ベルト部３を壁のフック７に掛け、プロジェクタ１１が例えばノートパソコン１０に接続される。
【００１８】
ユーザー１１０の操作により、ノートパソコン１０に内蔵する画像データがプロジェクタ１１に送信される。プロジェクタ１１は、画像データを映像化してスクリーン２に画像を投影する。図５（ａ）は、スクリーンの下に適当な置き場がない場合であり、壁掛けベルト部３を利用して窓の上方の壁のフック７に掛けて使用している例を示している。このような使い方をすることで、専用の場所が無くても、窓上方などのスペースが有効利用でき、大画像投影による鑑賞が可能となる。  
また、音声は無線通信又は光通信により送受する構成でもよく、勿論、ケーブル接続による有線通信でもよい。
【００１９】
また、会議等でプレゼンテーションに用いる例では、図５（ｂ）に示すように、机上に配置したスクリーン装置からスクリーン２を引き出した状態でセットし、同じく机上に載置したプロジェクタ１１からユーザー１１０の操作により、ノートパソコン１０から画像信号がプロジェクタ１１に送信されプロジェクタからスクリーン２上に拡大投影する。これによりプレゼンテーションを聞いている人１２０は、プレゼンテーションを受ける。
【００２０】
また、投影する画像データに音声データが付与されているデータであった場合には、画像データの送信と共に音声データをスクリーン装置に送信して、画像を表示させると共にスピーカ部５ａ，５ｂから音声を再生出力させることができる。マイク機能を有するプロジェクタであれば、画像を投影しつつ、マイク音声により解説等を加えることも可能である。
【００２１】
次に図６及び図７を参照してスピーカ部５ａ，５ｂからの音声出力の切り換え方法について詳細に説明をする。図６（ａ）及び図６（ｂ）は、スピーカ部５における回路図である。図７は、切り換えスイッチ部８の具体的な構成例を示す図である。
【００２２】
スピーカ部５ａ及び５ｂは、切り換えスイッチ部８の切り換え操作によりスイッチ切片８ａ，８ｂがストレイトに接続され、ステレオ（Ｌ−Ｒ）音声の切り換えが行われる。つまり、図６（ａ）に示す切り換え状態では、スピーカ部５ａからはＲ音声、スピーカ部５ｂからはＬ音声が出力される。他方、図６（ｂ）に示す切り換え状態では、スイッチ切片８ａ及び８ｂが交差するように接続しているために、スピーカ部５ａからはＬ音声、スピーカ部５ｂからはＲ音声が出力される。
【００２３】
図７は、切り換えスイッチ部８の具体的な構成を示し、導電性を有する金属切片からなるスイッチ切片８ａ，８ｂを電極９ａ，９ｂ，９ｃ及び９ｄに接触させて９ｃ及び９ｂと９ｃ及び９ｄを導通させている。この状態からスイッチ切片の台座８ｃを矢印方向にスライドさせると、スイッチ切片８ａは、電極９ａ、スイッチ切片８ｂは、電極９ｃと接続する。この移動により、図６（ｂ）に示すように交差する結線状態となる。この切り換えスイッチ部８の切り換え操作により、スピーカ部５ａ及び５ｂから出力される音声の左右（Ｌ音声とＲ音声）を入れ替えて出力することができる。
【００２４】
以上説明した第１の実施形態では、持ち歩く際には、スクリーン２を収納部１に収納させると共に、密閉性が高いカバー部４により収納部１を覆われた状態となる。
【００２５】
これによりスクリーン装置内への水滴及び大気中の埃等の侵入を防止できる。また、カバー部４で覆うことにより、携帯時に他のものとの衝突や落下による衝撃を緩和して、破損を防止することができる。さらにスクリーン装置は、スクリーン２正面側から音声を出力するようにスクリーン２とスピーカ部５ａ，５ｂを一体構造にすることで、スクリーン正面側から音声が出力され、迫力ある音声を聴きながら画像を鑑賞することができる。
【００２６】
また、肩掛けにも利用するベルト部３を用いて壁掛けを行うことにより、フロア上や机上等にスクリーン装置の設置場所が無くとも使用することができる。さらに、スクリーンとスピーカ部が一体的に構成されているため、スクリーンを収納してカバー部で覆うだけで、容易に可搬（例えば、肩に掛けて携帯）することができ、スピーカ部４とスクリーン２を別々に持ち歩く必要がない。これにより、ユーザーは、天気や運搬状態に左右されずに、持ち運ぶことができ、装置の利用率を上げることができる。スクリーン装置（及びプロジェクタ）の利用率があがればコストパフォーマンスが向上し、顧客の満足度も向上させることができる。
【００２７】
次に図８及び図９を参照して本発明に係る第２の実施形態について詳細に説明を行う。  
図８（ａ）は、切り換えスイッチを概念的な構成例を示す図、図８（ｂ）は、切り換えスイッチの回路を示す図である。図９は、スクリーン装置に搭載される状態の切り換えスイッチの概念的な外観構成を示す図である。  
前述した第１の実施形態では装置正面にスライドタイプの切り換えスイッチ８を設けた構成であったが、本実施形態では、図１（ｅ）に示すようにスクリーン２を上方に引き出して支持部６で支持する形態で使用する場合、カバー部４が収納部１の後方に倒れる形態となる。そこで、カバー部４の回動位置の変化を利用する切り換えスイッチ２１を設けている。
【００２８】
この切り換えスイッチ２１は、スイッチ切片２２ａ，２２ｂをカバー部４に取り付けて、収納部１の側壁面にスイッチ切片２２ａといずれか片方が接触するパターン２６ａ，２６ｂと、スイッチ切片２２ｂと常時接続するパターン２６ｃとを形成する。この構成における切り換えスイッチ２１は、図８（ｂ）に示す回路構成となる。
【００２９】
このように構成された切り換えスイッチ２１によれば、図１（ｅ）に示すよう状態では、閉位置（携帯時）から図８（ａ）に示した位置Ａに、カバー部４が回動して開けられる。このカバー部４の回動に連動して台座２３が回転し、スイッチ切片２２ａは、パターン２６ａからパターン２６ｂの位置Ｂへ移動してパターンが切り替わる。この時、パターン２６ｃは長く、スイッチ切片２２ｂが位置Ａから位置Ｂに移動しても接触状態が維持される。
【００３０】
これにより図６（ａ）に示した右側音声のスピーカ部５ａ，５ｂは、出力する音声が左右入れ替えることができる。  
従って、本実施形態によれば、図２（ａ）に示したように手動切り換えのスイッチ部８に換わって、カバー部４の回動を利用することで、スイッチ切り換えが行われてスクリーン使用法に従った正しい位置のステレオ音声を得ることができる。
【００３１】
尚、本実施形態は、限定されるものではなく、他にも要旨を逸脱しない範囲で構成要素を変形して実施することができる。また、本実施形態で開示した複数の構成要素を適宜組み合せて、種々の発明を形成することができる。例えば、実施形態に示される全構成要素から幾つかの構成要素を削除してもよい。更に、異なる実施形態に亘る構成要素を適宜組み合せてもよい。
【００３２】
本実施形態では図８（ａ）に示したように、スイッチ切片が露出した状態で設けられていたが、実際には、携帯時にぶつけて破損させたりするため、内部に配置する。例えば、図９に示すように、切り換えスイッチ２１は、スイッチ切片２２ａ，２２ｂを支持する台座２３と、一端がカバー部４を回動軸２４に連結し、他端が台座２３と連結する軸部２５と、スイッチ切片２２ａといずれか片方が接触するパターン２６ａ，２６ｂと、スイッチ切片２２ｂと常時接続するパターン２６ｃとで構成する。  
また、このような回動式切り換えスイッチ以外にも、カバー部４の開閉角度による押し込み方法により図７に示すようなスライドスイッチであるスイッチ部８を用いた切り換え機構にしてもよい。さらに、例えば光センサ及び磁気センサ等のセンサをカバー部４の移動経路上に設置することで、カバー部４の位置を検出して、電子的に切り換えを行う図１０に示すようなアナログスイッチであってもよい。
【００３３】
次に図１１（ａ）〜（ｃ）を参照して本発明に係る第３の実施形態について詳細に説明をする。
【００３４】
図１１（ａ）は、本発明に係る第３の実施形態における可搬型防滴スクリーン装置の概略構成図である。図１１（ｂ）は、第３の実施形態におけるスピーカ部をスクリーンで包み込んだ際の状態を示す図である。図１１（ｃ）は、第３の実施形態における持ち運ぶ際の状態を示す図である。尚、本実施形態において構成部位は、前述した第１の実施形態と同等の部位には同じ参照符号を付してその詳細な説明は省略する。
【００３５】
本実施形態において図１１（ａ）に示すようにスクリーン２は、防水性及び防塵性を兼ねた部材でありスピーカ部５ａ及び５ｂと音声信号入力用のジャック部１２ａ及び１２ｂを有する柱部３０及び３１により引っ張られ投影する構成である。また柱部３０に設けられたベルト部３は、スクリーン２によって包み込まれたスピーカ部５ａ及び５ｂを持ち運びの際に利用する構成である。
【００３６】
図１１（ｂ）に示すように可搬時は、スクリーン２はスピーカ部５ａ及び５ｂを包み込む際にマジックテープ（登録商標）４０の一側端４１を柱部５ａ側のスクリーン２の裏側に縫着し、スクリーン２を巻回した際に、他端をスクリーン２に貼り付けることにより、巻回形態を保持させることができる。また、例えばマジックテープ（登録商標）４０といった着脱自在なテープ部材を用いることで雨滴や大気中の埃等がスピーカ部５ａ、５ｂ及びジャック部１２ａ、１２ｂに付着することはない。さらに図１１（ｃ）に示すように持ち運び（携帯）の際にまとめられた装置は、ベルト部３に肩掛けにして簡易に持ち運ぶことが可能となる。
【００３７】
本実施形態では、可搬性を活かしつつ、防滴性に優れたスクリーン装置を提供することができる。
【図面の簡単な説明】
【００３８】
【図１】図１（ａ）は、本発明に係る第１の実施形態における可搬型防滴スクリーン装置を壁に掛けた際の概略的な正面図である。図１（ｂ）は、第１の実施形態におけるスクリーン装置のスクリーンを引き出し、支柱で支えている際の概略的な正面図である。図１（ｃ）は、スクリーンを収納した際の状態の図である。図１（ｄ）は、図１（ａ）における側面図である。図１（ｅ）は、図１（ｂ）における側面図である。
【図２】図２（ａ）は、カバー部４を開放したスクリーン２を上部に引き出した状態を示す図である。図２（ｂ）は、カバー部４を閉ざした持ち運びの際の状態である。図２（ｃ）は、カバー部４の収納部に対向する面を示した図である。
【図３】図３（ａ）は、図２（ａ）の状態の側面断面図である。図３（ｂ）は、スクリーン２を収納部１に収納してカバー部４が閉じた際の状態の側面図である。
【図４】スクリーン２を収納部１に収納しベルト部３を肩にかけて持ち運んでいる際の状態図である。
【図５】図５（ａ）及び図５（ｂ）は、実際にスクリーンに画像投影して使用する際の状態を示す状態図である。
【図６】図６（ａ）及び図６（ｂ）は、スピーカ部５における回路図である。
【図７】半導体のアナログ化スイッチで構成した際のロジック回路図である。
【図８】本発明の第２の実施形態に係るスクリーン装置のメカニカルスイッチによる切り換え機構を示した図である。
【図９】第２の実施形態における収納部の内側の状態を示す図である。
【図１０】第２の実施形態におけるアナログスイッチによる切り換え機構を示す図である。
【図１１】図１１（ａ）は、本発明に係る第３の実施形態における音声部付き可搬型防滴スクリーン装置である。図１１（ｂ）は、第３の実施形態におけるスピーカ部をスクリーンで包み込んだ際の状態を示す図である。図１１（ｃ）は、第３の実施形態における持ち運ぶ際の状態を示す図である。
【図１２】従来のスクリーン装置の構成を示す図である。
【図１３】従来のスクリーン装置の構成を示す図である。
【符号の説明】
【００３９】
１：収納部、２：スクリーン、３：ベルト部、４：カバー部、５ａ，５ｂ：スピーカ部、６：支柱部、７：フック、８：スイッチ部、８ａ，８ａ―１、８ｂ：スイッチ切片、９：切り換えスイッチ部、９ａ，９ｂ，９ｃ，９ｄ：電極、１０：ノートパソコン、１１：プロジェクタ、１２ａ、１２ｂ：ジャック部、１３：防具部材、１４：スライドスイッチ、１５：スリット部、１１０：ユーザー、２０，２１：軸、３０，３１：柱部、４０：マジックテープ（登録商標）。
【図１】
2006139116.tif 000003
【図２】
2006139116.tif 000004
【図３】
2006139116.tif 000005
【図４】
2006139116.tif 000006
【図５】
2006139116.tif 000007
【図６】
2006139116.tif 000008
【図７】
2006139116.tif 000009
【図８】
2006139116.tif 000010
【図９】
2006139116.tif 000011
【図１０】
2006139116.tif 000012
【図１１】
2006139116.tif 000013
【図１２】
2006139116.tif 000014
【図１３】
2006139116.tif 000015